(57)【要約】  【課題】  本発明では、Ｏ脚、Ｘ脚の矯正だけでなくダイエット等を並行して行うことができるとともに、使用する各人がＯ脚、Ｘ脚の進行具合に応じて矯正する度合いを調節することで、効果的にＯ脚、Ｘ脚の矯正をすることができる健康履物の提供を目的とする。  【解決手段】  上記足裏接触面１３を平面状態に接地したとき、上記接地面１４における上記踵側Ｙと上記足指側Ｘとの間を、緩やかに膨出させて形成し、上記接地面１４を、該接地面１４における最底部１４ａから上記踵側Ｙへの上昇勾配が、地面に対して１０度程度の勾配（Ａ）となる湾曲形状に形成するとともに、上記足裏接触面１３、２１、３１を、幅方向における一方の側端部より他方の側端部の方が高さが徐々に低くなるように形成した健康履物２０、３０。  【選択図】    図１
2005160612.tif 000002
【特許請求の範囲】
【請求項１】
上面に足裏が接触する足裏接触面と、該足裏接触面の裏面に、地面へ接地する接地面とを備え、長手方向の各端部側を踵側、又は足指側に設定した健康履物であって、
上記足裏接触面を平面状態に接地したとき、上記接地面における上記踵側と上記足指側との間を、緩やかに膨出させて形成し、
上記接地面を、該接地面における最底部から上記踵側への上昇勾配が、地面に対して１０度程度の勾配となる湾曲形状に形成した
健康履物。
【請求項２】
前記足裏接触面を、幅方向における一方の側端部より他方の側端部の方が高さが徐々に低くなるように形成した
請求項１に記載の健康履物。
【請求項３】
前記足裏接触面を６度程度の勾配となる傾斜面に形成した
請求項２に記載の健康履物。
【発明の詳細な説明】
【技術分野】
【０００１】
この発明は、日常生活において履き続けるだけでダイエット、ストレッチ運動をはじめ、使用者の姿勢、骨格構造の矯正など、使用者の健康にとって好ましい効果を得ることができる健康履物に関する。
【背景技術】
【０００２】
最近、世間の人々の健康や美容に対しての意識が高まっているため、様々な健康器具が市場に溢れている。中でも、履き続けるだけで健康によい健康履物と称する履物も提案されている。
【０００３】
上記健康履物としては、例えば、先行技術１（特許文献１参照）の内側型変形性膝関節症の矯正用履物（以下、矯正用履物という）と称する履物が提案されている。  
上記矯正用履物は、例えば幅方向における外側端部から内側端部にそって底部内面が徐々に低くなるように傾斜させた傾斜面を形成した形態を採る。
【０００４】
上記構成を採る矯正用履物を履き続けることにより、使用者は、太ももの外側に有する外転筋と比較して日常的に殆ど使用されることがない太ももの内側に有する内転筋を、無意識のうちに鍛えることができる。  
これにより、外転筋と内転筋との筋力のバランスが改善し、Ｏ脚、内側型変形性膝関節症等を改善することができるという先行技術である。
【０００５】
しかし、上記先行技術１の矯正用履物の場合、Ｏ脚、あるいはそれに関する関節症の矯正のみしか効果を発揮することができない。通常ではＯ脚を矯正するために、このような矯正用履物を半年から１年、履き続ける必要を要し、Ｘ脚を矯正する場合には、２年から３年、履き続ける必要を要するとおわれており、長期間を要する。
【０００６】
しかも、日本人女性の８割がＯ脚であるといわれているが、その症状には個人差があり、そのうちの大多数の人々は、放置したままでも問題がない程、軽度の症状であるといわれている。
【０００７】
ところが、上記大多数の人々の殆どは、軽度の症状であるにも関わらず、主に姿勢、容姿を改善する等の美容目的で、あるいは万一、Ｏ脚が悪化することに対する予防等の健康志向が強いために、Ｏ脚を矯正したいと考えているといわれている。  
すなわち、上述のようにＸ脚やＯ脚の矯正に長期間、専念する必要があるが、この期間内にダイエット、ストレッチ運動も並行して行うことができれば、特に、健康志向の高い人や、美容目的の人々にとって、さらに高い満足度が得ることができ、従来の健康履物の付加価値を格段に向上させることができる。
【０００８】
また、上記矯正用履物は、予め上記傾斜面を所定の勾配に設定して形成しているが、通常、履き続けることでＯ脚は徐々に矯正されているにも関わらず、使用者は、矯正用履物を購入当初の勾配設定のまま履き続ける必要がある。
【０００９】
もし、我慢して傾斜面の勾配設定がきついものを履き続けた場合は逆に姿勢を悪くする場合もあり、勾配が緩すぎれば長期間履き続けても効果が殆ど現れない場合もある。  
このため、改めて現時点でＯ脚の症状に適した勾配設定の矯正用履物に買い換える場合も生じるという問題点を有する。
【００１０】
しかも、Ｏ脚、Ｘ脚の症状の度合いは、上述したとおり個人差が大きく、さらに左用と右用とで症状の度合いが異なることも多いといわれていることからも、各人に適した傾斜面の勾配選定がなされた健康履物を提供することは難しい。
【００１１】
【特許文献１】特開２００１−１７２０２号公報
【発明の開示】
【発明が解決しようとする課題】
【００１２】
そこで本発明では、Ｏ脚、Ｘ脚の矯正だけでなく、ストレッチ運動等を並行して行うことができるとともに、使用する各人がＯ脚、Ｘ脚の進行具合に応じて矯正する度合いを調節することで、効果的にＯ脚、Ｘ脚の矯正をすることができる健康履物の提供を目的とする。
【課題を解決するための手段】
【００１３】
本発明の健康履物は、上面に足裏が接触する足裏接触面と、該足裏接触面の裏面に、地面へ接地する接地面とを備え、長手方向の各端部側を踵側、又は足指側に設定した健康履物であって、上記足裏接触面を平面状態に接地したとき、上記接地面における上記踵側と上記足指側との間を、緩やかに膨出させて形成し、上記接地面を、該接地面における最底部から上記踵側への上昇勾配が、地面に対して１０度程度の勾配となる湾曲形状に形成することができる。
【００１４】
上記足裏接触面、及び上記接地面は、それぞれゴム等の弾性部材、綿部材、木材、金属部材等の所定の部材で形成することができ、さらに、これらの部材を組み合わせて形成することもできる。  
また、上記健康履物は、上記接地面と上記足裏接触面とを一体の部材で形成してもよく、あるいは、上記健康履物は、上記足裏接触面を備えた部材と上記接地面を備えた部材とを、結合して一体に形成してもよい。
【００１５】
さらに、上記接地面には、滑り止め用に凹凸形状を備えて形成してもよい。  
また、上記足裏接触面には、足の裏の形状に対応させて凹ませた凹部を形成する、あるいは足裏が滑らないようにするための滑り止め用突起や足裏を刺激する押圧用の突起を、所定の部位に所定の個数形成することができる。
【００１６】
上記最底部は、上記健康履物を平面状の地面に水平状態に接地したとき、最も底部に相当する部位であり、この場合、地面に接触している部位を示す。また、上記接地面における足裏接触面と接地面との間の厚みが最も厚い部位を示す。
【００１７】
上記構成により、使用者は、上記接地面における踵側を地面に接地させた状態で起立すれば、アキレス腱、ふくらはぎ、背筋等（以下、筋という）を伸張することができる。
【００１８】
さらに、歩行中においては通常、使用者は足を踵側から地面へ着地するため、着地の度に地面から受ける反動を利用して、上記筋を伸張することができ、手軽にストレッチ運動を行うことができる。
【００１９】
また、上述するごとく上記接線を地面に対して、１０度程度の勾配とは、５度から２０度の間の上昇勾配であればよく、好ましくは出来るだけ１０度に近い勾配で形成することが好ましい。上記健康履物を上記１０度に近い勾配で形成すれば、使用者にとって無理に筋を伸張させることがなく、ある程度は履き続けるだけで筋を充分ストレッチすることができるため、快適に歩行することができる。
【００２０】
一方、上記接地面を上記湾曲形状とすれば、歩行の際に足首の関節の伸張、又は屈曲が容易に行うことができ、特に足指側に力を入れ易くなるため、体重移動が容易に行うことができ、使用者は歩行し易くなる。
【００２１】
さらに、上記健康履物の好ましい構成として、前記足裏接触面を、幅方向における一方の側端部より他方の側端部の方が高さが徐々に低くなるように形成することができる。
【００２２】
例えば、上記健康履物は、上記一方の側端部を外側端部、上記他方の側端部を内側端部として、外側端部より内側端部の方が幅方向に低くなるよう傾斜して形成することができる。
【００２３】
上記構成を採れば、特に太ももの内側に有する内転筋を無意識のうちに積極的に使用して、鍛えることができる。内転筋を鍛えることで、太ももの筋力バランスを向上させて、足裏接触面から足裏へ内股側斜上方向に力が作用するため、骨盤、股関節、膝関節を正常に矯正することができる。  
これにより、Ｏ脚の矯正と、上記接地面を上記湾曲形状に形成しているため、アキレス腱等の筋のストレッチ運動とを同時に行うことができる。
【００２４】
また、上記構成を採れば、使用者は、歩行の際においては通常、上述したとおり、踵側から地面に着地した後で足指側へ体重移動を行う。この間常に、健康履物の足裏接触面から使用者の足裏へ内股側の斜上方向の力を付与することができる。
【００２５】
しかも、使用者は、踵側から足指側への体重移動に応じて、例えば、内転筋における前方側の筋肉から後方側の筋肉を集中的に使用することができるため、結果として内転筋全体をバランスよく鍛えることができる。
【００２６】
また、上記健康履物は、上記一方の側端部を内側端部、上記他方の側端部を外側端部として、内側端部より外側端部の方が幅方向に低くなるよう傾斜して形成すれば、幅方向に傾斜して形成することもできる。
【００２７】
上記構成を採れば、足裏へ外側斜上方向に力が作用させて、特に外転筋を鍛えることができる。  
すなわち、内向きになった大腿骨の矯正等がなされＸ脚の矯正用に用いることができ、それと同時に上記筋のストレッチ運動も行うことができる。
【００２８】
また、上記健康履物は、前記足裏接触面を６度程度の勾配となる傾斜面に形成すると好ましい。上記６度程度の勾配とは、例えば、１度から１０度間のいずれかの勾配をいう。
【発明の効果】
【００２９】
この発明によれば、前記健康履物は、上述のように上記接地面を膨出させて形成しているため、歩行中にストレッチ運動を行うことができる。これにより、老化予防に貢献する、あるいは新陳代謝を活発にして痩せ易い体質を手軽に作ることができ、ダイエット効果も有する。
【００３０】
さらに、上記健康履物は、ストレッチ運動と並行して、足裏接触面を上述のように幅方向に傾斜させて形成することで、Ｘ脚、あるいはＯ脚の矯正もすることができる。  
これにより、単にＯ脚、やＸ脚を矯正する従来の健康履物と比較して、使用者はより積極的に上記健康履物を使用するようになるため、重度のＯ脚、やＸ脚になるのを確実に予防することもできる。さらに、従来の健康履物よりも姿勢を改善することや、美しい脚をつくることができる。
【００３１】
しかも、上記健康履物は、足裏接触面を単に幅方向に傾斜させるとともに、接地面を平面状に形成した履物と比較して、例えば内転筋や外転筋におけるさらに各部位の筋肉を順番に集中的に使用することができる。  
よって、全体をバランスよく鍛えることができ、短期間で効率的にＯ脚やＸ脚を矯正することができる。
【００３２】
また、上記健康履物は、使用者自ら踵側や指先側に体重をかける度合いに応じて、足首を伸張したり、屈曲させたりする度合い変化させることができる。  
よって、アキレス腱等の上記筋は勿論、Ｏ脚やＸ脚の症状の度合いに応じて、上記内転筋、あるいは上記外転筋等に作用する力を調節することができるため、一旦購入すれば、改めて購入し直す必要がない。
【発明を実施するための最良の形態】
【００３３】
この発明の一実施形態を、以下図面を用いて説明する。  
なお、本実施例で扱う健康履物１０、２０、３０は、左右対称である右足用と左足用との一対の履物からなるが、本実施例では、そのうち右足用のものを健康履物１０、２０、３０として説明する。  
図１、図２（ａ）、（ｂ）に示すごとく、上記健康履物１０は、履物の本体を構成する本体部１１と、該本体部１１における足の甲部を横架する甲部ベルト部材１２とから成る。さらに、上記本体部１１は、スポンジ、あるいはゴム等の弾性部材で形成し、上面に足裏が接触する面となる足裏接触面１３と、該足裏接触面１３の裏面に、地面へ接地する接地面１４とを備えている。
【００３４】
上記健康履物１０は、上記足裏接触面１３における足裏との接触部位に対応する部位を土踏まずに対応する部位を除いて足裏形状に凹ませて形成している。  
なお、上記足裏接触面１３には、足裏の押圧、あるいは滑り止めを防止するために例えば複数の突起部を配設して形成してもよい（図示せず）。
【００３５】
一方、上記接地面１４を長手方向に視ると、上記接地面１４は、上記足裏接触面１３を平面状態の地面に対して略水平に接地したとき、上記接地面１４における上記踵側Ｙと上記足指側Ｘとの間を、緩やかに膨出した形状に形成している。
【００３６】
さらに、上記接地面１４は、該接地面１４における最底部１４ａから上記踵側Ｙへの上昇勾配が、地面に対して１０度程度の勾配（Ａ）となる湾曲形状に形成している（図２（ａ）参照）。
【００３７】
加えて、上記接地面１４における足指側Ｘの湾曲形状は、例えば該接地面１４における最底部１４ａから上記踵側Ｙへの上昇勾配が、地面に対して２０度程度の勾配（Ｂ）となるように形成する等、上記踵側Ｙの湾曲形状よりも、より大きな曲率で湾曲させて形成している（図２（ｂ）参照）。  
上記健康履物１０を地面に接地すれば、膨出した接地面１４における最底部１４ａが適度にたわみ変形した状態で地面に接地される。  
なお、上記接地面１４は、滑り止めのために幅方向に稲妻形の凹凸模様を形成している。
【００３８】
次に、上記健康履物１０は、使用者の甲部を横架する上記甲部ベルト部材１２を、任意の長さに設定、又は展開可能にすべく、上記甲部ベルト部材１２を一対のベルト部材で形成し、該一対のベルト部材を甲部における幅方向の各側にフラップ状に延設し、該一対のベルト部材における各自由端部側における重合部位に、それぞれ一対の固定手段を形成して構成することができる。
【００３９】
本実施例の甲部ベルト部材１２においては、図３に示すごとく、一対の甲部内側ベルト部材１５と甲部外側ベルト部材１６とから成る。上記甲部ベルト部材１２は、甲部内側ベルト部材１５と甲部外側ベルト部材１６におけるそれぞれの長手方向の一方の端部を幅方向の各側から延設させてフラップ状に形成している。  
なお、上記甲部ベルト部材１２は、綿部材で形成するとともに、外周部には、ステッチを逢着している。
【００４０】
さらに、上記甲部内側ベルト部材１５と上記甲部外側ベルト部材１６とが重合する部位には、一対の面ファスナを添着している。  
具体的には、上記甲部内側ベルト部材１５における先側裏面に一方の面ファスナ１５ａを添着し、上記甲部外側ベルト部材１６における先端表面に他方の面ファスナ１６ａを添着して、上記甲部ベルト部材１２を着脱可能に形成している。  
上記構成により、甲部ベルト部材１２は、使用者の足のサイズに応じて任意に重合部位の長さを調節することができる。
【００４１】
このように、上記甲部ベルト部材１２の構成を採れば、上記甲部ベルト部材１２を、使用者に応じた任意の長さで、しかも強固に履き続けることができる。  
よって、上記健康履物１０は、使用者が足首を伸長したり、屈曲させたり、さらには足首を内側、外側に傾けても、上記甲部ベルト部材１２が不用意に離間したり、脱げてしまうこともない。  
しかも使用者は、窮屈感を感じず、通常の履き慣れていない形状の接地面１４を備えた健康履物１０であっても、快適に履き続けることができる。  
すなわち、甲部ベルト部材１２は、本発明の形状の接地面１４を備えた健康履物１０に適した構成で形成しているといえる。
【００４２】
上述した構成により、健康履物は形成している。  
ここで、健康履物１０の使用者が歩行中において、例えば、図４（ｃ）、（ｄ）、（ｅ）に示すごとく、右足ＲＦを地面に接地する動作に着目する。この場合通常、使用者（歩行者）は、まず、上記接地面１４における踵側Ｙから地面に着地する。
【００４３】
これにより、健康履物１０は、上述した接地面１４の形状により、接地面１４における足指側Ｘが前方斜め上方に突き出した状態を維持して接地される。
【００４４】
このとき、使用者が歩行するために、足指側Ｘに力を付与して体重移動しようとしても、使用者の足裏には、足裏接触面１３から後方斜め上方向、すなわち足首を伸張させない方向に力が作用する。使用者が進行するために、足指側Ｘに力を付与して踏ん張ると、足裏は、足裏接触面１３に接触した状態であり、接地面１４の踵側Ｙが地面に接地しているため、特にアキレス腱が伸張される（図４（ｃ）参照）。
【００４５】
ここで、アキレス腱は、踵側Ｙの上昇勾配を１０度に設定しているため、過度に伸張されることなく適度に伸張することができる。
【００４６】
さらに、使用者は、足裏における足指側Ｘに力を付与して一旦、接地面１４における地面に水平に接地したときの最底部１４ａ（湾曲形状の変曲点）を、乗り越えれば（図４（ｄ）参照）、接地面１４における足指側Ｘも上述のように湾曲させているため、容易に足首を伸張することができ、スムーズに足指側Ｘ（前方）に体重移動することができる（図４（ｅ）参照）。
【００４７】
使用者が歩行中は、上述する動作が繰り返し行われるため、手軽にストレッチ運動を行うことができ、美容面においても好ましいとともに、老化予防等の健康にとっても好ましい。
【００４８】
さらに、他の実施形態として、図５（ｆ）、（ｇ）に示すごとく、本実施例の健康履物２０は、上述した健康履物１０における足裏接触面１３を、幅方向における外側端部より内側端部の方が高さが徐々に低くなるように、６度程度の勾配（Ｃ）となる傾斜面にして形成している。
【００４９】
上記構成を採れば、図６（ｈ）に示すごとく、足裏には、足裏接触面２１から内股側（左足側）へ傾いた斜め上方へ（内方向とする）の力Ｆ１が作用する。このため、使用者が起立しているときには、無意識に内転筋の中央部に力が加わるため、内転筋の中央部を鍛えることができる。
【００５０】
ここで特に、上述した実施例と同様に使用者が歩行中に右足ＲＦを地面に接地する動作に着目する。図７（ｊ）に示すごとく、上述したとおり通常、使用者（歩行者）は、まず、上記接地面１４における踵側Ｙから地面に着地し、アキレス腱等の筋を伸張することができる。
【００５１】
そして、それと同時に足裏接触面２１を上記形態で傾斜させているために、踵側Ｙに体重を載せた状態で上記内方向に力を作用させることができる。脚ＲＬがこのような姿勢と採る場合においては、図７（ｋ）に示すごとく、内転筋Ｉにおける特に前側部ｆの筋肉に力を加えることができるため、該内転筋Ｉの前側部ｆの筋肉を効果的に鍛えることができる。
【００５２】
さらに、図７（ｌ）に示すごとく、直立した状態になれば、直立状態における脚ＲＬの姿勢により、上述したとおり、内転筋Ｉの中央部ｂｗに力が加わるため（図７（ｍ）参照）、該内転筋Ｉの中央部ｂｗの筋肉を効果的に鍛えることができる。
【００５３】
そして、図７（ｎ）に示すごとく、その後使用者が前方へ体重移動するために、足首を伸張して地面を蹴り上げるように足指側Ｘに力を付与する。脚ＲＬがこのような姿勢と採る場合においては、図７（ｏ）に示すごとく、上記内方向に力を作用させると、内転筋Ｉの特に後側部ｂに力が加わり、該内転筋Ｉの後側部ｂを効果的に鍛えることができる。
【００５４】
なお、内転筋Ｉには、長内転筋、大内転筋、薄筋、恥骨筋などがあり、それらをまとめて内転筋群とも呼ばれる場合もある。このように、内転筋Ｉは、深層、浅層、前側、後側等複雑な配列で構成されている。
【００５５】
すなわち、従来の接地面１４を地面と平面状に接地するものとし、足裏接触面のみ単に傾斜させた健康履物では、内転筋Ｉの中でも特定の筋肉しか鍛えることができないが、上記構成を採る健康履物２０は、内転筋群全体をバランスよく、効率的に鍛えることができる。
【００５６】
よって、このように、内転筋Ｉを効果的に鍛えることで、太ももの筋肉のバランスが改善され、Ｏ脚を矯正することができる。  
加えて、足裏接触面１３を上記形態に傾斜させれば、足首が外側に傾いたいわゆる「回外」と呼ばれる症状の矯正にも効果的である。
【００５７】
さらに、他の実施形態として、図８（ｐ）、（ｑ）に示すごとく、本実施例の健康履物３０は、上記健康履物２０とは足裏接触面１３を幅方向に傾斜させる方向が逆の健康履物３０であり、具体的には、健康履物３０における前記足裏接触面１３を、幅方向における内側端部より外側端部の方が高さが徐々に低くなるように形成してもよい。  
なお、上記足裏接触面１３の勾配（Ｃ）も上述と同様に６度程度に形成している。
【００５８】
上記構成を採れば、図６（ｉ）に示すごとく、足裏には、足裏接触面３１から外股側（右側）へ傾いた斜め上方へ（外方向とする）の力Ｆ２が作用する。このため、使用者が起立しているときには、無意識に外転筋の中央部に力が加わるため、外転筋の中央部を鍛えることができる。
【００５９】
さらに、前実施例と同様に、接地面１４を上記湾曲させた形状で形成しているため、踵側Ｙから足指側Ｘへ体重移動するという上記一連の歩行動作においては、まずアキレス腱等の踵側Ｙの筋を伸張した状態となり、次いで足首を伸張した状態となる。その際常に足裏には、足裏接触面１３から外側（右側）へ傾いた斜め上方への力が作用させることができる。  
脚がこのような姿勢と採る場合においては、外転筋の特に前側部から後側部を順に使用することとなり、効果的に鍛えることができる。
【００６０】
なお、外転筋は、太ももの外側に有する筋肉であり、中臀筋、小臀筋、大腿筋膜張筋、大臀筋などからなり、外転筋群とも呼ばれる場合もある。このように、外転筋は、内転筋Ｉと同様、複雑な配列で構成されている。
【００６１】
すなわち、上記健康履物３０は、外転筋群全体をバランスよく、効率的に鍛えることができるため、太ももの筋肉のバランスが改善され、Ｘ脚を効果的に矯正することができる。  
加えて、足裏接触面１３を上記形状に傾斜させて形成すれば、足首が内側に傾いたいわゆる「回内」と呼ばれる症状の矯正にも効果的である。
【００６２】
すなわち、上述した健康履物２０、３０は、上述するように足首を前側へ伸張、あるいは後側に屈曲する度合いを、Ｏ脚、あるいはＸ脚の矯正具合に応じて使用者の意思で任意に調節することができる。このため、矯正具合に関わらず、購入当初と同一の健康履物を履き続けることができる。
【００６３】
また、上述した健康履物１０、２０、３０は、湾曲形状の上記接地面１４を所定の部位のみ直線状に形成してもよい。例えば、接地面１４における踵側Ｙを上述の健康履物１０、２０、３０のように湾曲せず、直線状に傾斜させる等形成しても構わないなど、この発明は、上述の実施形態の構成のみに限定されるものではなく、多くの実施の形態を得ることができる。
【図面の簡単な説明】
【００６４】
【図１】本発明の健康履物の外観図。
【図２】本発明の健康履物の正面図（ａ）、本発明の健康履物の左側面図（ｂ）。
【図３】本発明の健康履物の一態様を表す平面図。
【図４】本発明の健康履物の使用状態を表す説明図。
【図５】本発明の他の健康履物の正面図（ｆ）、本発明の他の健康履物の左側面図（ｇ）。
【図６】本発明の他の健康履物の使用状態を表す説明図（ｈ）、本発明のさらに他の健康履物の使用状態を表す説明図（ｉ）。
【図７】本発明の他の健康履物の他の使用状態を表す説明図。
【図８】本発明のさらに他の健康履物の背面図（ｐ）、本発明のさらに他の健康履物の左側面図（ｑ）。
【符号の説明】
【００６５】
１０、２０、３０…健康履物
１３、２１、３１…足裏接触面
１４…接地面
足指側…Ｘ
踵側…Ｙ
【図１】
2005160612.tif 000003
【図２】
2005160612.tif 000004
【図３】
2005160612.tif 000005
【図４】
2005160612.tif 000006
【図５】
2005160612.tif 000007
【図６】
2005160612.tif 000008
【図７】
2005160612.tif 000009
【図８】
2005160612.tif 000010